(57)【要約】【課題】堤体裏の法尻部における浸透水の排水方法及び排水構造を提供すると共に、この排水構造を短時間で効率的に構築するための排水管の敷設方法を提供する。【解決手段】  堤体裏の法尻部の排水構造１は、堤体２の裏法面３の法尻部４に透水性材料からなる排水管６を堤体２の長手方向に沿って削孔された横孔５内に備える。この排水管６は、管状の透水性を有する繊維系集排水材７と、この繊維系集排水材７の外側に設けられ、周部に通水孔９を備える有孔管８とからなる。有孔管８として、例えば、管壁にスリット状の通水孔９を有する鋼管８を用いる。繊維系集排水材７は、立体網状のフィルター構造であり、高い集排水性を有し、目詰まりによる集排水機能の低下が小さく、かつ、異なる原料の融点差を利用して繊維の交絡部が熱接着されているために、圧縮荷重が作用しても変形追従性を有しており、地盤変形に対応することができる。【選択図】      図１
2006194044.tif 000002
【特許請求の範囲】
【請求項１】
堤体内への浸透水が堤体裏法面に浸出することを防ぐための浸透水の排水構造であって、
前記堤体裏の法尻部に透水性材料からなる排水管を堤体の長手方向に埋設したことを特徴とする堤体裏における浸透水の排水構造。
【請求項２】
前記排水管を前記堤体の長手方向に削孔された横孔内に配設してなることを特徴とする請求項１に記載の堤体裏における浸透水の排水構造。
【請求項３】
前記横孔は曲線推進工法により削孔されてなることを特徴とする請求項２に記載の堤体裏における浸透水の排水構造。
【請求項４】
前記排水管は、管状の透水性を有する繊維系集排水材と、該繊維系集排水材の内側又は外側に設けられ、通水孔を有する金属、プラスチック、ポリエチレン等の有孔管とからなることを特徴とする請求項１〜３のいずれかに記載の堤体裏における浸透水の排水構造。
【請求項５】
前記排水管は、管状の透水性を有する繊維系集排水材と、該繊維系集排水材の外側に設けられ、生分解性プラスチックの中空管とからなることを特徴とする請求項１〜３のいずれかに記載の堤体裏における浸透水の排水構造。
【請求項６】
前記繊維系集排水材は、前記有孔管に対して脱着可能であることを特徴とする請求項４に記載の堤体裏における浸透水の排水構造。
【請求項７】
堤体内への浸透水が堤体裏法面に浸出することを防ぐための浸透水の排水方法であって、
前記堤体裏の法尻部に透水材料からなる排水管を堤体の長手方向に埋設し、
前記堤体内に浸透する水を前記排水管を介して排水することを特徴とする堤体裏における浸透水の排水方法。
【請求項８】
前記排水管を前記堤体の長手方向に削孔された横孔内に配設することを特徴とする請求項７に記載の堤体裏における浸透水の排水方法。
【請求項９】
前記横孔を曲線推進工法により地上から削孔することを特徴とする請求項８に記載の堤体裏における浸透水の排水方法。
【請求項１０】
前記横孔を削孔する際に、生分解性ポリマーを含む泥水を前記横孔内に供給することを特徴とする請求項９に記載の堤体裏における浸透水の排水方法。
【発明の詳細な説明】
【技術分野】
【０００１】
本発明は、堤体裏の法尻部への排水管の敷設方法、並びに堤体裏における浸透水の排水方法及び浸透水の排水構造に関するものである。
【背景技術】
【０００２】
降雨等により河川水位が上昇すると堤体内へ水が浸透し、堤体内の湿潤線が上昇すると土のせん断強さが低下し、また土の単位体積重量も増大するために、堤体の裏法面でのすべりに対する安全率が低下する。
【０００３】
そこで、特許文献１には、堤体の川裏側の基礎地盤上に排水層を形成する方法が提案されている。これは、堤体の川裏側の基礎地盤上に、堤体の浸透水を流入させるための鋼製網状の篭製ドレーン部と、この篭製ドレーン部と裏法尻部の堤脚水路との間に粗粒フィルター材からなるドレーン層とを設置し、篭製ドレーン部及びドレーン層を堤体土で覆い裏法面を形成し、篭製ドレーン部に流入した浸透水を、ドレーン層を通して堤脚水路に導くものである。
【０００４】
また、特許文献２には、堤体の裏法面の裏法尻部に、透水性を有する面状排水材を略水平に複数台埋設し、この面状排水材を埋設した部分及び面状排水材間の土砂部分に法面から基礎に向かって係止部材となる杭を打ち込む方法が提案されている。これは、ポリ塩化ビニル等で形成された長尺シートからなる芯材の周囲に樹脂系の不織布からなる面状排水材を埋設し、堤体内の水を効率よく排出して堤体内が水で飽和することを防止するものである。また、基礎に杭を打ち込むことにより、面状排水材及び裏法尻部の土砂を保持するものである。
【特許文献１】特開２００２−１２１７２０号公報
【特許文献２】特開２０００−２５７０４４号公報
【発明の開示】
【発明が解決しようとする課題】
【０００５】
しかしながら、特許文献１に記載されている堤体の川裏側に排水層を形成する方法は、篭製ドレーン部とドレーン層とを設置する際は、堤体の裏法面の基礎地盤が露出するまで掘削し、これらを設置した後に再び掘削した部分に覆土しなければならず、排水層構築のために莫大な手間及び費用がかかるという課題があった。さらに、篭製ドレーン部及びドレーン層のいずれかが目詰まりしても前述した理由から容易に交換することができないという課題があった。
【０００６】
また、特許文献２に記載されている堤体の裏法尻部に面状排水材を埋設し、杭を打ち込む方法は、面状排水材を敷設する際に、裏法尻より提内側の道路上にユンボ等の重機を配置して裏法尻部を開削する必要がある。この場合においては、開削工事を行う区間はすべて道路規制を行わねばならず、交通渋滞等の社会的損失が大きいという課題があった。また、この道路が個人の私有地である場合は、使用許可の取得、重機を設置するスペース等の問題から工事の施工が困難であるという課題があった。
【０００７】
そこで、本発明は、上記の問題点を鑑みてなされたものであり、その目的は、堤体裏における浸透水の排水方法及び排水構造を提供すると共に、この排水構造を短時間で効率的に構築するための排水管の敷設方法を提供することである。
【課題を解決するための手段】
【０００８】
前記目的を達成するため、本発明の堤体裏における浸透水の排水構造は、堤体内への浸透水が堤体裏法面に浸出することを防ぐための浸透水の排水構造であって、前記堤体裏の法尻部に透水性材料からなる排水管を堤体の長手方向に埋設したことを特徴とする（第１の発明）。
【０００９】
第２の発明は、第１の発明において、前記排水管を前記堤体の長手方向に削孔された横孔内に配設してなることを特徴とする。
【００１０】
第３の発明は、第２の発明において、前記横孔は曲線推進工法により削孔されてなることを特徴とする。
【００１１】
第４の発明は、第１〜第３のいずれかの発明において、前記排水管は、管状の透水性を有する繊維系集排水材と、該繊維系集排水材の内側又は外側に設けられ、通水孔を有する金属、プラスチック、ポリエチレン等の有孔管とからなることを特徴とする。
【００１２】
第５の発明は、第１〜第３のいずれかの発明において、前記排水管は、管状の透水性を有する繊維系集排水材と、該繊維系集排水材の外側に設けられ、生分解性プラスチックの中空管とからなることを特徴とする。
【００１３】
第６の発明は、第４の発明において、前記繊維系集排水材は、前記有孔管に対して脱着可能であることを特徴とする。
【００１４】
第７の発明の堤体裏における浸透水の排水方法は、堤体内への浸透水が堤体裏法面に浸出することを防ぐための浸透水の排水方法であって、前記堤体裏の法尻部に透水材料からなる排水管を堤体の長手方向に埋設し、前記堤体内に浸透する水を前記排水管を介して排水することを特徴とする。
【００１５】
第８の発明は、第７の発明において、前記排水管を前記堤体の長手方向に削孔された横孔内に配設することを特徴とする。
【００１６】
第９の発明は、第８の発明において、前記横孔を曲線推進工法により地上から削孔することを特徴とする。
【００１７】
第１０の発明は、第９の発明において、前記横孔を削孔する際に、生分解性ポリマーを含む泥水を前記横孔内に供給することを特徴とする。
【発明の効果】
【００１８】
本発明によれば、堤体裏の法尻部に透水性材料からなる排水管を堤体の長手方向に埋設することにより、堤体内に浸透した水を確実に排水することができる。
【００１９】
また、排水管を埋設する際は、非開削工法にて横孔を削孔することにより、発進点、中継点、到達点となるスペースのみを数Ｋｍ間隔で確保すればよく、さらに、このスペースを堤体裏法の法尻部に設けることにより道路上を使用しなくてすむために、交通規制等を行う必要が無い。基本的には道路上を使用しないが、作業の都合にて道路上を使用する場合においても、これらのスペースの周囲の狭い範囲だけを作業領域として確保すればよいために、道路上を交通規制する範囲が狭く、交通渋滞等を回避できる。
【００２０】
さらに、横孔を曲線推進工法にて削孔することにより、削孔機を堤体裏の斜面に組立てた架台上又は裏法面の斜面の一部を掘削して周囲を土留めしたスペース内に設置することができ、道路上を全く使用しないために、交通規制等を行う必要が無い。
【００２１】
そして、排水管の外周部又は内周部に金属、プラスチック、ポリエチレン等の有孔管を用いることにより、排水管を横孔に敷設する際に、排水管に作用する引張力又は圧縮力に抵抗することができる。
【００２２】
また、排水管の外周部に生分解性プラスチックの中空管を用いることにより、排水管を横孔に敷設する際に、排水管に作用する摩擦抵抗を減少させることができ、かつ、引張力又は圧縮力に抵抗することができる。したがって、排水管を削孔先端部に取り付け、横孔内に引き込むと共に敷設することができる。さらに、生分解性プラスチックは、排水管を敷設した後に、生分解により消失するために集排水に影響を与えない。
【００２３】
そして、排水管に用いられる繊維系集排水材は有孔管と接着材等により接着されていないために、排水管のメンテナンス時に容易に交換することができる。
【００２４】
したがって、堤体裏の法尻部に排水管を設けることにより、堤体内に浸透する水を速やかに排水することが可能となり、堤体内に形成される湿潤線の上昇を抑制し、土のせん断抵抗力の低下を抑制することができる。
【発明を実施するための最良の形態】
【００２５】
以下、本発明の好ましい実施形態について図面を用いて詳細に説明する。  
図１は、本発明の第一実施形態に係る堤体裏の法尻部の排水構造を示す図である。また、図２は、本発明の第一実施形態に係る排水管の構造を示す図であり、図３及び図４は、本発明の第一実施形態に係る排水管の他の構造を示す図である。
【００２６】
図１に示すように、本発明の堤体裏における浸透水の排水構造１は、堤体２の裏法面３の法尻部４に透水性材料からなる排水管６を堤体２の長手方向に沿って削孔された横孔５内に備える。
【００２７】
この排水管６は、図２に示すように、管状の透水性を有する繊維系集排水材７と、この繊維系集排水材７の外側に設けられ、周部に通水孔９を備える有孔管８とからなる。本実施形態においては、有孔管８として、例えば、管壁にスリット状の通水孔９を有する鋼管８を用いる。
【００２８】
この繊維系集排水材７は、立体網状のフィルター構造であり、高い集排水性を有し、目詰まりによる集排水機能の低下が小さく、かつ、異なる原料の融点差を利用して繊維の交絡部が熱接着されているために、圧縮荷重が作用しても変形追従性を有しており、地盤変形に対応することができる。そして、繊維系集排水材７は、鋼管８と接着材等により接着されていないために脱着可能であり、排水管６のメンテナンス時に容易に交換することができる。
【００２９】
なお、本実施形態において、排水管６は、繊維系集排水材７を鋼管８にて覆う構造としたが、この構造に限定されるものではなく、図３に示すように、繊維系集排水材７と、この繊維系集排水材７の内側に設けられる鋼管８とからなる構造のものでもよい。また、本実施形態において、有孔管として鋼管８を用いたが、この材質に限定されるものではなく、例えば、プラスチック、ポリエチレン等の排水管６を横孔５に敷設する（詳細は後述する）際に、排水管６に作用する引張力又は圧縮力に抵抗することができるものであればよい。
【００３０】
さらに、排水管６は図４に示すように、繊維系集排水材７と、この繊維系集排水材７の外側に位置する生分解性プラスチックの中空管２２とからなる構造のものでもよい。この生分解性プラスチックの中空管２２は、排水管２１を横孔５内に敷設した後に、自然界の微生物によって水と二酸化炭素に分解され消失し、繊維系集排水材７のみが残存する。
【００３１】
そして、排水管６が敷設される横孔５は曲線推進工法により削孔されてなるものであり、以下に、この横孔５の削孔方法及び排水管６の敷設方法について説明する。
【００３２】
図５は、本発明の第一実施形態に係る横孔の削孔方法を示す図である。図５に示すように、削孔機１１を裏法面３の斜面上に組立てた架台に設置し、排水管６を敷設するための横孔５を非開削である曲線推進工法にて削孔する。まず、削孔先端部１２にて裏法面３の斜面上を開口して発進点１３とし、横孔５の削孔を開始する。そして、ビット及びマッドモータからなる削孔先端部１２に接続されているジャイロ等の測定器（図示せず）にて測定される横孔５の方位、傾斜、位置に応じて削孔先端部１２の進行方位、傾斜等を地上の制御装置にて制御しながら、堤体２の長手方向の形状に沿って横孔５を削孔する。横孔５を削孔する際は、孔壁の安定化、削孔機１１の動力を削孔先端部１２に伝達するロッド１４及び削孔先端部１２の焼き付きを防止するために、生分解性ポリマーを含む泥水を削孔先端部１２に供給して横孔５内を常に泥水で満たした状態にする。削孔先端部１２が掘進すると共にロッド１４を延長接続して横孔５を堤体２の長手方向の形状に沿って到達点１５まで削孔する。本実施形態においては、発進点１３から到達点１５までの距離は、例えば、約２Ｋｍ程度である。
【００３３】
図６は、本発明の第一実施形態に係る削孔先端部に排水管を接続した状態を示す図である。図６に示すように、横孔５の削孔を終了して削孔先端部１２が地上の到達点１５に到達した後に、削孔先端部１２に回転自在のスイベル等の接続具（図示せず）を介して排水管６を接続する。
【００３４】
図７は、本発明の第一実施形態に係る横孔に排水管を引き込む状態を示す図である。図７に示すように、削孔機１１と削孔先端部１２とを接続しているロッド１４を取り外し、削孔先端部１２を横孔５内に挿通させて排水管６を横孔５内に引き込む。排水管６を引き込む際は、排水管６の外周部に鋼管８を用いることにより、排水管６にかかる圧縮力や引張力に抵抗することができる。
【００３５】
図８は、本発明の第一実施形態に係る横孔に排水管を敷設した状態を示す図である。図８に示すように、削孔先端部１２を地上の発進点１３にて回収することにより、排水管６が横孔５内の全長に渡って敷設される。横孔５の孔壁は、削孔時に供給した生分解性ポリマーにて形成される被膜により覆われており、繊維系集排水材の泥水による目詰まりを防止する。
【００３６】
以上のようにして構築された排水構造１によれば、堤体２の裏法面３の法尻部４に排水管６を設けることにより、堤体２内に浸透する水を速やかに排水することが可能となり、堤体２内に形成される湿潤線の上昇を抑制し、土のせん断抵抗力の低下を抑制することができる。また、横孔５を曲線推進工法により削孔するために、道路上を使用せずに地上から削孔することが可能である。
【００３７】
次に、本発明における第一実施形態と異なる実施形態を示す。下記に示す説明において、第一実施形態と同様の技術を用いたものと対応する部分には同一の符号を付して、説明を省略する。
【００３８】
図９は、本発明の第二実施形態に係る横孔の削孔方法を示す図であり、図１０は、本発明の第二実施形態に係る横孔に排水管を敷設した状態を示す図である。図９に示すように、横孔５を削孔する際に、発進点１３、到着点１５にそれぞれ発進スペース２３、到着スペース２４を裏法面３の斜面の一部を掘削し、周囲を簡易的に土留めして作成し、これらの間は非開削である曲線推進工法にて横孔５を削孔する。本実施形態においては、発進点１３から到達点１５までの距離は、例えば、約２Ｋｍ程度である。基本的には道路上１０を使用しないが、作業の都合にて道路上１０を使用する場合においても、これら発進スペース２３、到着スペース２４の周囲の狭い範囲だけを作業領域として確保すればよいために、道路上１０を交通規制する範囲が狭く、交通渋滞等を回避できる。
【００３９】
削孔機１１を発進スペース２３内に設置して第一実施例と同様にして堤体２の長手方向の形状に沿って到達スペース２４まで横孔５を削孔し、削孔先端部１２に排水管６を接続する。  
そして、図１０に示すように、削孔先端部１２を発進スペース２３にて回収することにより、排水管６が横孔５内の全長に渡って敷設される。
【００４０】
以上のようにして構築された排水構造１によれば、堤体２の裏法面３の法尻部４に排水管６を設けることにより、堤体２内に浸透する水を速やかに排水することが可能となり、堤体２内に形成される湿潤線の上昇を抑制し、土のせん断抵抗力の低下を抑制することができる。また、横孔５を曲線推進工法により削孔するために、道路上を使用せずに地上から削孔することが可能である。
【００４１】
なお、上述したすべての実施形態において、横孔５を削孔した後に、到達点１５にて削孔先端部１２に排水管６を接続し、削孔先端部１２を横孔５内を挿通させて回収すると共に排水管６を横孔５内に敷設する方法を用いたが、この方法に限定されるものではなく、削孔機１１と削孔先端部１２との間に排水管６を取り付け、削孔先端部１２にて横孔５を削孔すると共に排水管６を横孔５内に引き込み、敷設する方法でもよい。
【００４２】
また、上述したすべての実施形態において、堤体２は直線状であり、横孔５も堤体２に沿って直線的に削孔しているが、これに限定されるものではなく、堤体２が湾曲している場合においては、堤体２の湾曲に沿って横孔５を削孔することが可能である。
【図面の簡単な説明】
【００４３】
【図１】本発明の第一実施形態に係る堤体裏の法尻部の排水構造を示す図である。
【図２】本発明の第一実施形態に係る排水管の構造を示す図である。
【図３】本発明の第一実施形態に係る排水管の他の構造を示す図である。
【図４】本発明の第一実施形態に係る排水管の他の構造を示す図である。
【図５】本発明の第一実施形態に係る横孔の削孔方法を示す図である。
【図６】本発明の第一実施形態に係る削孔先端部に排水管を接続した状態を示す図である。
【図７】本発明の第一実施形態に係る横孔に排水管を引き込む状態を示す図である。
【図８】本発明の第一実施形態に係る横孔に排水管を敷設した状態を示す図である。
【図９】本発明の第二実施形態に係る横孔の削孔方法を示す図である。
【図１０】本発明の第二実施形態に係る横孔に排水管を敷設した状態を示す図である。
【符号の説明】
【００４４】
１    排水構造
２    堤体                  ３    裏法面
４    法尻部                ５    横孔
６    排水管                ７    繊維系集排水材
８    鋼管（＝有孔管）      ９    通水孔
１０  道路上                １１  削孔機
１２  削孔先端部            １３  発進点
１４  ロッド                １５  到達点
２１  排水管                ２２  中空管
２３  発進側スペース        ２４  到着側スペース
【図１】
2006194044.tif 000003
【図２】
2006194044.tif 000004
【図３】
2006194044.tif 000005
【図４】
2006194044.tif 000006
【図５】
2006194044.tif 000007
【図６】
2006194044.tif 000008
【図７】
2006194044.tif 000009
【図８】
2006194044.tif 000010
【図９】
2006194044.tif 000011
【図１０】
2006194044.tif 000012